(57)【要約】【目的】使わないページを裏表紙側へ回して使えるワイヤーバウンド式の紙片綴じ具の特徴を有しながらバインダー式の紙片綴じ具の様に紙片の差し込み、抜き取り、補充が自由に出来る紙片綴じ具を提供し、これにより紙片と紙片綴じ具との分離を容易にして紙片の再利用をし易くすること。【構成】第１綴じリング構成部材２とこれに対向して備えられた第２綴じリング構成部材３とから成る綴じリング１を連結部材８に複数個備える。綴じリング１は自由状態では自身の弾性により開いて第１・第２綴じリング構成部材間に常に一定の間隔を与える。綴じリングは第１綴じリング構成部材２及び第２綴じリング構成部材３の内で一方に形成された突起４（６）が他方に形成されたひっかかり部７（５）にひっかかって閉じた状態となる様に構成する。【選択図】図１
2007050684.tif 000002
【特許請求の範囲】
【請求項１】
第１綴じリング構成部材とこれに対向して備えられた第２綴じリング構成部材とから成る綴じリングを連結部材に複数個備えた構造の紙片綴じ具であり、前記綴じリングは自由状態では自身の弾性により開いて第１綴じリング構成部材と第２綴じリング構成部材との各々の先端部間に常に一定の間隔を与え、かつ前記綴じリングは第１綴じリング構成部材及び第２綴じリング構成部材の内で一方に形成された突起が他方に形成されたひっかかり部にひっかかって閉じた状態となる様に構成され、かくして前記綴じリングを紙片に形成された穴に通して紙片を綴じる紙片綴じ具。
【請求項２】
回動軸を中心に回動自在に備えられた第１綴じリング構成部材とこれに対向して前記回動軸に連結・固定された第２綴じリング構成部材とから成る綴じリングを前記回動軸に複数個備え、前記第１綴じリング構成部材は連結部材により互いに連結されており、かつ前記回動軸回りの紙片が回れない幅が５ｍｍ以下であり、かくして前記綴じリングに紙片に形成された穴を通して紙片を綴じる紙片綴じ具。
【請求項３】
一部の綴じリングの第１綴じリング構成部材及び第２綴じリング構成部材の内で一方に形成された突起が他方に形成されたひっかかり部にひっかかって綴じリングが閉じた状態を維持する様に構成した請求項２記載の紙片綴じ具。
【発明の詳細な説明】
【発明の詳細な説明】
【産業上の利用分野】
【０００１】  本発明は何枚もの紙片（手帳、ノート等に使われる１枚１枚の紙）を綴じて手帳やノート等として用いる時の紙片綴じ具に係わり、一般にバインダー式と言われる紙片綴じ具の様に紙片の差し入れ、抜き取り、補充が容易にできる様にしたものに関する。
【背景技術】
【０００２】  一般に何枚もの紙片を綴じる紙片綴じ具にはバインダー式と称するものがあり、これは綴じリングがワンタッチで開閉できるので、紙片の差し入れや抜き取り、補充が便利な特徴がある。これに対してワイヤーバウンド式と称する紙片綴じ具があり、これにはコイル状に巻いたシングルワイヤー形、又はこの変形として櫛状に折り曲げたワイヤーを丸く加工したダブルワイヤー形があり、紙片に形成された穴にワイヤーを通して綴じるもので、バインダー式の様に紙片の差し入れや抜き取り、補充が自由に出来ないが、使わないページを裏表紙側へ回して綴じた紙片を全て１つに重ねた状態にして使えるので、狭い机の上でも場所を取らず、手持ちの状態でも書き易い利点がある。しかしながら欠点としてはバインダー式の様に自由に紙片の抜き取りや補充ができない為、使い捨てになる事があり、この時、紙片綴じ具は金属又はプラスチック製である為、紙片とは分離しなければならない。しかしこの分離は容易ではなく、一般消費者はそのままゴミとして捨てるので、紙片の資源としての再利用を困難なものにしている。
【発明が解決しようとする問題点】
【０００３】  本発明の目的は、使わないページを裏表紙側へ回して綴じた紙片の全てを１つに重ねた状態にして使えるワイヤーバウンド式の紙片綴じ具の特徴を有しながら、バインダー式の紙片綴じ具の様に紙片の差し込みや抜き取り、補充が自由に出来る紙片綴じ具を提供する事であり、これにより何枚もの紙片を綴じた手帳やノート等を廃棄する時に紙片綴じ具を分離する煩雑さをなくし、以って紙片の資源としての再利用をし易くするところにある。
【問題点を解決する為の手段】
【０００４】  本発明は上記目的を達成する為、第１の発明では第１綴じリング構成部材とこれに対向して備えられた第２綴じリング構成部材とから成る綴じリングを連結部材に複数個備え、綴じリングは自由状態では自身の弾性により開いて第１綴じリング構成部材と第２綴じリング構成部材との各々の先端部間に常に一定の間隔を与え、かつ綴じリングは第１綴じリング構成部材及び第２綴じリング構成部材の内で一方に形成された突起が他方に形成されたひっかかり部にひっかかって閉じた状態となる様に構成した。第２の発明では回動軸を中心に回動自在に備えられた第１綴じリング構成部材とこれに対向して回動軸に連結・固定された第２綴じリング構成部材とから成る綴じリングを回動軸に複数個備え、第１綴じリング構成部材は連結部材により互いに連結されており、かつ回動軸回りの紙片が回れない幅が５ｍｍ以下である様に構成した。
【実施例】
【０００５】  図１は本発明による紙片綴じ具の一実施例で、先ず図１（イ）において（Ａ−Ａ´線断面図を示した図１（ロ）も参照）、第１綴じリング構成部材２とこれに対向して備えられた第２綴じリング構成部材３とから成る綴じリング１を連結部材８に複数個（図では４個）備えている（連結部材８は綴じリング１同志を連結するものである）。綴じリングは自由状態では図示の如く自身の弾性により開いており、第１綴じリング構成部材２と第２綴じリング構成部材３との各々の先端部間に常に一定の間隔を与えており、この間隔から紙片を入れ、紙片に形成された穴に綴じリング１を通して何枚もの紙片を綴じるのである（手帳、ノートとなる）。綴じリング１、連結部材８より成る本紙片綴じ具はステンレスの様な金属製、又はプラスチック製とするのが良い。各々の綴じリングは連結部材８に溶接、溶着などにより結合させても良いが、プレス成形や射出成形などの方法により一体成形物として製造した方が低コストで有利である。
図１（イ）、（ロ）は綴じリング１が一杯に開いた状態であるが、第１綴じリング構成部材２と第２綴じリング構成部材３とを互いに接触させる如く親指と人差し指とで押すと、両者の内で一方に形成された突起４（６）が他方に形成されたひっかかり部７（５）にひっかかって、閉じた状態となる（図２（イ）参照）。従って図１（イ）、（ロ）の様に綴じリング１が一杯に開いた状態において紙片に形成された穴を通し、綴じリング１を閉じれば、図１（ハ）の如く何枚もの紙片を綴じる事が出来る。この時、図１（ハ）において紙片に形成された穴９は円形状の他に四角形状のものがある。
Ｂ方向から見た拡大図を図１（ニ）に示す。本発明による紙片綴じ具では自由状態では図１（イ）、（ロ）の如く自身の弾性により開いており、第１綴じリング構成部材２と第２綴じリング構成部材３とを互いに接触させる如く左右の手の指で各々を摘むか、又は一方の手の親指と人差し指とで押すと、図２（イ）の如く閉じた状態となるが、これを再び開かせるには、図２（イ）において一方の手の指で第１綴じリング構成部材２を摘み、他方の手の指で第２綴じリング構成部材３を摘んで矢印の如く互いに反対方向へ動かすと、突起とひっかかり部とのひっかかりが外れて開く（この場合一方の手の親指と人差し指とで矢印の如く互いに反対方向へ動かす様にしても良い）。これを１つ１つの綴じリングについて行なって、全てを開かせる。又は図２（ロ）の如く、互いに隣接する第１綴じリング構成部材２同志を（図では上の２個同志、下の２個同志）一方の手の親指と人差し指とで矢印の如く押し、こうする事で突起とひっかかり部とのひっかかりが外れて綴じリング１を開かせる事が出来る（但し、図２（イ）とは、突起とひっかかり部の配列が異なっている）。この場合、他方の手の親指と人差し指とで第２綴じリング構成部材３を押えておく様にするのが良い。図１（イ）では突起及びひっかかり部は第１綴じリング構成部材２にも第２綴じリング構成部材３にも備えられているが、図２（ハ）の如く突起１０を第１綴じリング構成部材２に、ひっかかり部１１を第２綴じリング構成部材３に備える様にしても良い。図２（ニ）は突起、ひっかかり部の別の実施例を示すもので、第１綴じリング構成部材２には突起１２が備えられ、第２綴じリング構成部材３には突起１２が嵌り込む穴１３が形成され、この穴１３に突起１２がひっかかるひっかかり部１４が備えられているものである。この様に本発明による紙片綴じ具によれば綴じリング１の開閉ができるから、紙片の差し入れや抜き取り、補充が容易であり、紙片と紙片綴じ具との分離が容易に出来るから、紙片の再利用をし易くする事ができる（紙片綴じ具は繰り返し使える）。又、使わないページを裏表紙側へ回して綴じた紙片の全てを１つに重ねた状態にして使えるので、狭い机の上でも場所を取らず、手持ちの状態でも書き易くなる。尚、図１（イ）、図２（イ）からも明らかの様に突起４（６）とひっかかり部７（５）とは通常は外れる事はないが、図２（ホ）の如く勾配部Ｋを設けると、一層外れにくくなる。又、図１（ロ）で連結部材８の幅Ｓ１は大きいと連結部材８の周りの紙片の盛り上がりが大きくなるので、５ｍｍ以下とする（望ましくは４ｍｍ以下）。【０００６】  次に図３に示す紙片綴じ具は、回動軸１８を中心に回動自在に備えられた第１綴じリング構成部材１６と、これに対向して回動軸１８に連結・固定された第２綴じリング構成部材１７とから成る綴じリング１５を回動軸１８に複数個備えたもので、図は綴じリング１５を開いた状態であるが、紙片に形成された穴を通して図１（ハ）、（ニ）と同様に多数の紙片を綴じるものである（Ｃ−Ｃ´断面を示した図３（ロ）も参照）。１９は連結部材で、第１綴じリング構成部材１６同志を連結するものである（連結部材１９は回動軸１８の軸受にもなっている）。綴じリング１��を閉じるには、一部の綴じリング１５（図では一番上のもの）の第１綴じリング構成部材１６と第２綴じリング構成部材１７とを互いに接触させる如く押すと、全ての綴じリング１５を閉じる事が出来る。この時、一番上の綴じリング１５は図３（ハ）の如く突起２０とひっかかり部２１とがひっかかって閉じ、図辺手の綴じリング１５は勝手に開く事はない（突起２０、ひっかかり部２１については図２（ハ）、（ニ）、（ホ）の構造のものを用いても良い）。他の綴じリング１５には図３（ニ）の如く突起とこれがひっかかるひっかかり部はなく、単にＶ字形（Ｗ字形）に合わさっているのみである。一番下の綴じリング１５は一番上のものと同様に図３（ハ）の如く突起２０、ひっかかり部２１を備えても良い。反対に綴じリング１５を開くには、一番上の綴じリング１５の第１綴じリング構成部材１６と第２綴じリング構成部材１７とを図２（イ）で説明した如く互いに反対方向になる様に押すと、突起２０とひっかかり部２１とのひっかかりが外れ、全体を開く事が出来る（一番下の綴じリング１５にも突起２０とひっかかり部２１とを備える場合は、これも同様にして開く）。綴じリング１５を開かせると、紙片を補充する事が出来る。この場合、図３（ホ）の如く綴じリング１５を開く方向に働らくバネ２２を備えておくと、突起２０とひっかかり部２１とのひっかかりを外した時に自動的に綴じリング１５を開かせる事が出来る。
尚、図３（ロ）においてＳ２は回動軸１８の回りの紙片が回れない幅を示しており、この値が大きいと紙片綴じ具回りの紙片が盛り上る不具合を生ずるので、５ｍｍ以下とする様にする。図３（ヘ）に示す紙片綴じ具は、図３（イ）における第２綴じリング構成部材１７が回動軸１８に連結・固定されているものを回動軸１８に回動自在に備えた構造にしたものに相当し、回動軸２６を中心に回動自在に備えられた第１綴じリング構成部材２４と、これに対向する如く回動軸２６を中心に回動自在に備えられた第２綴じリング構成部材２５とから成る綴じリング２３を回動軸２６に複数備えたもので、第１綴じリング構成部材２４同志は連結部材２７で、第２綴じリング構成部材２５同志は連結部材２８で各々連結されている。回動軸２６回りの紙片が回れない幅Ｓ３は図３（ロ）と同様に５ｍｍ以下とする。綴じリング２３の開き方、閉じ方は図３（イ）と同様であるので、説明は省略する。以上により図３に示す紙片綴じ具はいずれも図１（ハ）、（ニ）と同様に多数の紙片を綴じる事が出来、図１の紙片綴じ具と同様の効果を有する。【０００７】次に図４（イ）に示す紙片綴じ具は、第１連結部材３２から延びて来る第１綴じリング構成部材３０と、第２連結部材３３から延びて来る第２綴じリング構成部材３１から成る綴じリング２９を複数備えており、第１連結部材３２、第２連結部材３３は各々第１綴じリング構成部材３０同志、第２綴じリング構成部材３１同志を互いに連結するものである。第１連結部材３２、第２連結部材３３は綴じリング２９の外側にある回動中心軸３４を中心に回動自在に備えられ、両者を接触・一体化すると綴じリング２９は閉じ、回動中心軸３４を中心に引き離すと綴じリング２９は開いて、紙片の穴を通し、多数の紙片を綴じる事が出来る。３５は留め具で、第１連結部材３２と第２連結部材３３とが容易には外れない様に結合させておく為のものであり（Ｄ方向から見た図を示す図４（ロ）参照）、留め具３５の先端部を持ち上げると、両者の結合を外す事ができる。この場合も、第１連結部材３２と第２連結部材３３とが完全に接触した状態での幅Ｓ４が大きいと、紙片綴じ具回りの紙片の盛り上がりが発生するので、Ｓ４は５ｍｍ以下とする。以上により図１（ハ）、（ニ）と同様に多数の紙片を綴じる事が出来、図１の紙片綴じ具と同様の効果をもたらす。【０００８】  図５（イ）に示す紙片綴じ具は、連結部材４３から延びて来る第１綴じリング構成部材３７と、これに対向する如く前記連結部材４３から延びて来る第２綴じリング構成部材３８とから成る綴じリング３６を連結部材４３に複数個備えたもので、連結部材４３に形成された薄肉部４４（Ｅ−Ｅ´線断面図を示した図５（ロ）参照）を回動中心軸にして第１綴じリン構成部材３７、第２綴じリング構成部材３８が各々回動して、綴じリング３６を開閉をさせるものである。連結部材４３は第１綴じリング構成部材３７同志を、第２綴じリング構成部材３８同志を各々連結するものである。そして一部の綴じリング３６（例えば一番上、一番下のもの）の第１綴じリング構成部材３７及び第２綴じリング構成部材３８の内で一方に形成された突起３９（４１）が他方に形成されたひっかかり部４２（４０）にひ��かかって綴じリング３６を閉じた状態に維持する様に構成してある（中央の２つの綴じリング３６はこの様なひっかかりはなく、単に合わさっているのみである）。一番上と一番下の綴じリング３６の開閉は図２（イ）で説明した通りであり、中央の２つの綴じリング３６の開閉はこれらの開閉に従うものであり、指で直接の開閉はしない。尚、突起３９（４１）、ひっかかり部４０（４２）は図２（ハ）、（ニ）、（ホ）のものを使用しても良い。使い方は図１で説明した通りであり、効果も同様である。図５（ハ）はバネ４５を備えて、突起３９（４１）とひっかかり部４２（４０）とのひっかかりを外した時に、綴じリング３６が自動的に開くようにしたものであり、紙片を補充する時に便利である。
尚、突起３９（４１）、ひっかかり部４２（４０）を有する綴じリング３６の根本部にある連結部材４３の薄肉部４４又はこの近傍の部分（図５（イ）でＨの間の部分）の肉厚を増して、この肉厚を増した部分の弾性により綴じリング３６が自由状態では一定間隔開く様に構成しても、突起３９（４１）とひっかかり部４２（４０）とのひっかかりを外した時に綴じリング３６が自動的に開くので、紙片の補充時に便利である（薄肉部４４のみでは自由状態において一定間隔自動的には開かない）。前記肉厚を増した部分はＨの間とするが、これ以外の部分では綴じリング３６が全体として均一に閉じない為、不適当である（図５の紙片綴じ具はポリプロピレン製とする事が望ましい）。
【発明の効果】
【０００９】  本発明による紙片綴じ具によれば、バインダー式の様に綴じリング１（１５）の開閉が容易な為、紙片の差し込み、抜き取り、補充が自由に出来、便利であり、紙片と紙片綴じ具との分離が容易であるから、紙片の再利用をし易くする事が出来る。かつ紙片綴じ具は繰り返して使える為、使い捨てにする事もない。又、ワイヤーバウンド式の様に使わないページを裏表紙側へ回して綴じた紙片全てを１つに重ねた状態にして使えるので、狭い机の上でも場所を取らず、手持ち状態でも書き易い利点がある。かつ、この様な使い方をすると、バインダー式の様に中央に邪魔な紙片綴じ具がなく、左右のページの段差もないので、更に書き易く、使い易くなる。
【図面の簡単な説明】
【図１】本発明による紙片綴じ具を示す図。
【図２】本発明による紙片綴じ具の各種実施例の図。
【図３】本発明による紙片綴じ具を示す図。
【図４】紙片綴じ具を示す図。
【図５】紙片綴じ具を示す図である。
【符号の説明】
１・１５・２３・２９・３６は綴じリング、２・１６・２４・３０・３７は第１綴じリング構成部材、３・１７・２５・３１・３８は第２綴じリング構成部材、４・６・１０・１２・２０・３９・４１は突起、５・７・１１・１４・２１・４０・４２はひっかかり部、８・１９・２７・２８・４３は連結部材、９は穴、１３は穴、１８・２６は回動軸、２２はバネ、３２は第１連結部材、３３は第２連結部材、３４は回動中心軸、３５は留め具、４３は連結部材、４４は薄肉部、４５はバネ、Ｋは勾配部である。
【図１】
2007050684.tif 000003
【図２】
2007050684.tif 000004
【図３】
2007050684.tif 000005
【図４】
2007050684.tif 000006
【図５】
2007050684.tif 000007